【事件の表示】
　平成　５年特許願第５０９６１９号「二重結合コンデンサを持つ多効用吸収冷凍装置」拒絶査定に対する審判事件［平成　５年　９月１６日国際公開、ＷＯ９３／１８３５５、平成　６年　４月１４日国内公開、特表平　６−５０３４１３］について、次のとおり審決する。
【結　論】
　本件審判の請求は、成り立たない。
【理　由】
　本願は、１９９２年８月２７日（優先権主張１９９２年３月１１日、アメリカ合衆国）を国際出願日とする出願であって、その請求項１乃至１８に係る発明は、平成８年８月２１日付けの手続補正書によって補正された明細書及び図面の記載からみて、その特許請求の範囲の請求項１乃至１８に記載されたとおりのものと認められるところ、その請求項１に係る発明（以下、「本願発明」という。）は、次のとおりである。
「１．二重結合コンデンサを持つ多効用吸収冷凍装置であって、第１、第２および第３発生装置、第１、第２および第３コンデンサ装置、蒸発装置、並びに吸収装置であって、それらが互いに作動するように結合され、前記第１、第２および第３コンデンサ装置が、それぞれ、前記第１、第２および第３発生装置から蒸発した冷却剤を受け取って該蒸発した冷却剤を凝縮するようにされた第１、第２および第３発生装置、第１、第２および第３コンデンサ装置、蒸発装置、並びに吸収装置と、前記第３発生装置にある含有冷却剤吸収溶液を第１冷却剤蒸発温度まで加熱する装置と、前記第３コンデンサ装置および第２発生装置と共に作動するように組合わされて、前記第２発生装置にある含有冷却剤吸収溶液を前記第１温度より低い第２冷却剤蒸発温度まで加熱する第１熱交換装置と、前記第２コンデンサ装置および第１発生装置と共に作動するように組合わされて、前記第１発生装置にある含有冷却剤吸収溶液に熱を供給する第２熱交換装置と、前記第３コンデンサ装置で凝縮された冷却剤からの熱を、前記第２熱交換装置により前記第１発生装置内の含有冷却剤溶液に供給された熱と組合わせて、該第１発生装置内の含有冷却剤溶液を前記第２温度よりも低い第３冷却剤温度まで加熱する熱移動手段であって、前記第３コンデンサ装置からの凝縮された冷却剤を、前記第２コンデンサ装置によって受けとられる前に前記第２発生装置からの蒸発冷却剤と組み合わせる手段を備える熱移動手段とを含む、ことを特徴とする多効用吸収冷凍装置。」
　原査定の拒絶の理由において引用された特開昭６０−１６２１６６号（昭和６０年（１９８５）８月２３日出願公開、以下、「引用例１」という。）には、「外部熱源を加熱源とする高温の高温再生器と、その高温再生器で発生した冷媒蒸気を後段の低温の再生器の溶液の加熱源として、それぞれ冷媒蒸気を発生させる低温および中温の複数の再生器と、凝縮器、蒸発器、吸収器、溶液熱交換器、溶液循環ポンプなどの機器と、これら吸収サイクルの作動機器を連結する配管とからなる多重効用吸収式冷凍装置において、熱媒を加熱する補助ボイラーを、前記低温および中温の複数の再生器の下方に配設し、当該補助ボイラーでの発生熱媒蒸気を前記低温および中温の複数の再生器の補助加熱源となしうるように、前記補助ボイラーと前記低温および中温の複数の再生器の少なくとも一つとを配管で接続したことを特徴とする多重効用吸収式冷凍装置。」（特許請求の範囲１．に記載された事項）に関して、
　「水を冷媒とし、臭化リチウム水溶液等の塩類溶液を吸収剤とする吸収式冷凍剤置は、従来、配管等の流路内での吸収剤溶液（以下溶液という）の結晶析出を防止するため、運転を停止するときは、希釈運転を行って、雰囲気温度におれる結晶析出温度よりも薄い状態で停止している。そのため、起動時には、希釈した分の冷媒を発生させる必要がある。」（第２頁上段左欄第１８行〜同右欄第４行）こと、
　吸収式冷凍装置の成績係数ＣＯＰは、「二重効用吸収式冷凍装置ではＣＯＰ２≒１．２　三重効用吸収式冷凍装置ではＣＯＰ３≒１．５〜１．８程度である。」（第２頁上段右欄第１３行〜同第１６行）こと、
「一般的な三重効用吸収式冷温水機の主要構成機器から説明を進める。第１図において、１は外部熱源に係る主加熱源１４で加熱され冷媒蒸気を発生する高温再生器、２は高温再生器１の発生冷媒蒸気で加熱される中温再生器、３はその中温再生器２の発生冷媒蒸気で加熱される低温再生器であり、２９，３１はそれぞれ中温再生器２、低温再生器３の加熱蒸気導管、３０，３２はそれぞれ前記の中温再生器２、低温再生器３の凝縮水導管である。１９，２０は減圧用オリフィスである。」（第３頁下段左欄第第１４行〜同右欄第４行）こと、
「４は凝縮器で、低温再生器で発生した冷媒蒸気を導管３３で凝縮器４に導き、その冷媒蒸気を冷却水１６で冷却して凝縮液化させている。」（第３頁下段右欄第５行〜同第７行）こと、
「５は蒸発器で、凝縮器４における液冷媒を導管３４で蒸発器５に導き、管内を冷水１５が流れる伝熱管群上に冷媒スプレポンプ１０で前記液冷媒を散布し、冷媒を蒸発させるとともに冷水１５を冷却して冷凍能力を提供するものである。」（第３頁下段右欄第８行〜同第１２行）こと、
「６は吸収器で、蒸発器５で蒸発した冷媒蒸気を、前記３個の各再生器で濃縮された溶液に吸収させるものである。吸収器６の伝熱管内を冷却水１６が流通して、前記濃溶液を冷却するとともに、冷媒蒸気吸収の際の吸収熱を奪う。」（第３頁下段右欄第１３行〜同第１７行）こと、
「吸収器６で冷却され、希釈された溶液は、溶液循環ポンプ１１により、高温再生器１、中温再生器２、低温再生器３へ、それぞれ溶液供給管２３，２４，２５で供給され、それぞれ濃縮されて溶液排出管２６，２７，２８で排出された吸収器６に戻される。」（第３頁下段右欄第１８行〜第４頁上段左欄第３行）こと、
「なお、各再生器の加熱熱量を節約するため、溶液交換器７，８，９が配設されている。」（第４頁上段左欄第４行〜同第５行）こと、
「以上のような三重効用吸収式冷温水機において、本実施例の装置では、中温再生器２および低温再生器３よりも下方に、補助ボイラーに係る真空蒸気ボイラー１２を配設し、中温再生器２および低温再生器３にそれぞれ熱交換器３５，３６の入口側を前記真空蒸気ボイラー（以下補助ボイラーという）１２の蒸気相部とそれぞれ熱媒蒸気導管３７，３８で連通し、前記熱交換器３５，３６の出口側を前記補助ボイラー１２の液相部にそれぞれ凝縮水導管３９，４０によって連通している。」（第４頁上段左欄第６行〜同第１６行）こと、
「補助加熱源１３には、灯油、燃料ガスなどの燃焼熱を用いる。補助ボイラー１２の熱媒としては、水が望ましい。」（第４頁上段左欄第２０行〜同右欄第２行）こと、
「このような構成の三重効用吸収式冷温水機の動作を、まず冷房運転について説明する。起動時の立上げに際して、冷水１５が蒸発器５の伝熱管内に通水され、冷却水１６が凝縮器４、吸収器６のそれぞれの伝熱管内に通水される。主加熱熱源１４、補助加熱熱源１３の燃焼器に点火されて、高温再生器１の溶液および補助ボイラー１２の熱媒（水）が加熱される。補助ボイラー１２内の熱媒は沸騰して蒸発し、中温再生器２の溶液中に浸漬した熱交換器３５、および低温再生器３の溶液に浸漬した熱交換器３６へ、それぞれ熱媒蒸気導管３７，３８を介して導かれ、熱交換して凝縮液化する。その際の凝縮潜熱により、中温再生器２および低温再生器３の溶液が加熱される。なお、中温再生器２の溶液は高温再生器１で発生した冷媒の凝縮潜熱でも並列的に加熱されるので、溶液が沸点に立する時間が短縮される。」（第４頁上段右欄第３行〜同第１９行）こと、
「定常運転に達していることが、サイクル内の温度、圧力のいずれかを検知することによって確認されると、補助ボイラー１２の補助加熱源１３の燃焼を停止させ、本実施例の装置は高いＣＯＰを実現する三重効用吸収式冷凍サイクルとして動作する。」（第４頁下段左欄第１２行〜同第１７行）こと、
「このように本実施例によれば、冷房運転における起動立上げ時に、低温再生器３および中温再生器２を並列的に補助ボイラー１２で加熱できるので、立上げ時間が短縮される。」（第４頁下段左欄第１８行〜同第右欄第１行）こと、
が記載されている。
　そして、図面の第１図には、三重効用吸収式冷温水機の冷房運転時のサイクル構成図が示されており、そこには、主加熱源１４に加熱される高温再生器１の冷媒蒸気を加熱蒸気導管２９を介して中温再生器２に導き、中温再生器２の溶液を高温再生器１で発生した冷媒蒸気の凝縮潜熱と補助加熱源１３を燃焼させて補助ボイラー１２内で発生する熱媒蒸気の凝縮潜熱とで加熱し、加熱後の凝縮された高温再生器２の冷媒蒸気は、凝縮水導管３０、減圧用オリフィス２０を経て、中温再生器２で発生した冷媒蒸気と加熱蒸気導管３１において混合し、この加熱蒸気導管３１で低温再生器３を加熱するとともに、補助加熱源１３を燃焼させて補助ボイラー１２内で発生した熱媒蒸気にても加熱し、その後、中温再生器２の冷媒蒸気は、凝縮水導管３２から三方弁１８、減圧用オリフィス１９を介して低温再生器３から発生する冷媒蒸気と混合して凝縮器４に導かれものが示されている。
　同じく、特開平３−１５２３６２号公報（平成３年（１９９１）６月２８日出願公開、以下、「引用例２」という。）には、三重効用吸収冷凍機に関して、図面とともに、「高温発生器４では、外部熱源１５により加熱されて溶液の濃縮が行われ、この際発生する冷媒蒸気は、管２７から中温発生器５の加熱側に導かれる。一方濃縮された溶液は、管２２から高温熱交換器９の加熱側を通って冷やされてから、管２３より中温発生器５に導かれる。中温発生器５では、前記した高温発生器４で発生する冷媒蒸気により加熱されて、さらに濃縮されて、管２４より中温熱交換器８の加熱側を通り、希溶液を加熱して、管２５より低温発生器６に導入される。また、中温発生器５で発生する冷媒蒸気は、高温発生器４で発生し中温発生器５の加熱側を通った冷媒蒸気と一緒になって、低温発生器６の加熱側を通って凝縮器３に導入される。そして、中温熱交換器８の加熱側を通って、低温発生器６に導入された濃溶液は、さらに加熱・濃縮されて濃溶液となって、管２６より低温熱交換器７の加熱側を通って希溶液を加熱したのち、吸収器２に入る。吸収器２では、冷却水１６により冷却されて冷媒を吸収し希釈されて希溶液となり、吸収ポンプ１３により溶液ラインを循環する。低温発生器６で発生した蒸気は凝縮器３に導かれて冷却水１７により冷却されて凝縮する。凝縮器３の冷媒は管２９より蒸発器１に導かれ、ここで、冷水１８から熱を奪い冷凍効果を発揮して、蒸発する。」（第２頁下段右欄第６行〜第３頁上段左欄第１２行）ことが記載されている。
　そこで、本願発明と引用例１に記載された発明とを対比し、検討する。
　上記引用例１には、吸収式冷凍装置において成績係数ＣＯＰについて、二重効用吸収式冷凍装置ではＣＯＰ２≒１．２であるのに対して、三重効用吸収式冷凍装置では、ＣＯＰ３≒１．５〜１．８であるとの記載からして、三重効用式冷凍装置の熱効率が高いことは公知であるといえる。そして、
　（イ）引用例１に記載された「多重効用吸収式冷凍装置」という用語自体は、単に表現上に差異があるだけで、本願発明の「多効用吸収冷凍装置」と差異がないものであるし、
　（ロ）引用例１に記載された「冷媒」は、蒸発器５に導かれて蒸発し冷水１５を冷却するものであるから、本願発明の「冷却剤」に相当し、
　（ハ）引用例１に記載された「吸収剤溶液」あるいは「溶液」は、加熱されて冷媒蒸気を発生し、溶液自身は冷媒を吸収する溶液を濃縮し、吸収剤の濃溶液となるものであるから、本願発明の「含有冷却剤吸収溶液」に相当し、
　（ニ）引用例１に記載された「再生器」は、臭化リチウム水溶液等の塩類溶液を吸収剤とし、この吸収剤に冷媒としての水を吸収させた吸収剤溶液を加熱して冷媒蒸気を発生させるものであるから、本願発明の「発生装置」に相当し、
　（ホ）引用例１に記載された「主加熱源１４」は、高温再生器１内の溶液を冷媒蒸発温度まで加熱し、冷媒蒸気の発生と冷媒の吸収剤溶液を濃縮させるものであるから、本願発明の第３発生装置にある含有冷却剤吸収溶液を第１冷却剤蒸発温度まで「加熱する装置」に相当し、
　（ヘ）引用例１に記載された「高温再生器１」は、主加熱源１４により冷却剤蒸発温度まで加熱されるものであるから、本願発明の含有冷却剤吸収溶液を第１冷却剤蒸発温度まで加熱する装置で加熱される「第３発生装置」に相当し、
　（ト）引用例１に記載された「中温再生器２」は、高温再生器１で発生した冷媒蒸気の凝縮潜熱による加熱と、補助加熱源１３によって発生した熱媒を熱交換器３５に送り、熱媒の凝縮潜熱による加熱とによって冷媒の吸収剤溶液を加熱し、冷媒蒸気の発生と冷媒の吸収剤溶液の濃縮を行うものであるから、本願発明の含有冷却剤吸収溶液を加熱する「第２発生装置」に相当し、
　（チ）引用例１に記載された「低温再生器３」は、中温再生器２を経た冷媒蒸気の凝縮潜熱による加熱と中温再生器２の冷媒の凝縮水とによる加熱と、さらに、補助加熱源１３によって発生した熱媒を熱交換器３６に送り、熱媒の凝縮潜熱による加熱とを利用して、冷媒の吸収剤溶液を加熱し、冷媒蒸気の発生と冷媒の吸収剤溶液の濃縮を行っているものであるから、本願発明の含有冷却剤吸収溶液を加熱する「第１発生装置」に相当し
　（リ）引用例１に示された「加熱蒸気導管２９と凝縮水導管３０とに接続された中温再生器２内の管」は、加熱蒸気導管２９からの冷媒蒸気の凝縮潜熱で溶液を加熱し、その冷媒蒸気は凝縮水となって凝縮水導管３０から出ていくものであるから、該中温再生器２内の管は、コンデンサを形成しているといえるから、本願発明の「第３コンデンサ装置」に相当し、
　（ヌ）引用例１に示された「加熱蒸気導管３１と凝縮水導管３２とに接続された低温再生器３内の管」も、冷媒蒸気のコンデンサを形成しているものといえるから、本願発明の「第２コンデンサ装置」に相当し、
　（ル）引用例１に示された上記「中温再生器２内の管と低温再生器３内の管」は、高温再生器１で発生した冷媒蒸気の凝縮潜熱を利用して溶液を加熱し、その冷媒蒸気は凝縮水となるものであるから、本願発明でいうところの「二重結合コンデンサ」ということができるし、
　（オ）引用例１に記載された冷却水１６を配管された「凝縮器４」は、本願発明の「第１コンデンサ」に相当し、
　（ワ）引用例１に示された上記「中温再生器２内の管」の管内を流れる冷媒蒸気は、中温再生器２の冷媒の吸収剤溶液を加熱し熱交換するものであるから、本願発明の「第１熱交換装置」に相当し、
　（カ）引用例１に示された上記「低温再生器３内の管」の管内を流れる冷媒蒸気は、低温再生器３の冷媒の吸収剤溶液を加熱し熱交換するものであるから、本願発明の「第２熱交換装置」に相当し、
　（ヨ）引用例１に示されている「中温再生器２から出た凝縮水導管３０と減圧オリフィス２０を通った冷媒の凝縮水と中温再生器２から発生した冷媒蒸気とを合わせて加熱蒸気導管３１から低温再生器３に供給する」構成は、本願発明の「第３コンデンサ装置からの凝縮された冷却剤を、前記第２コンデンサ装置によって受けとられる前に前記第２発生器からの蒸発冷却剤と組み合わせる手段」に相当するものであるし、
　（タ）引用例１に記載された「蒸発器５」、「吸収器６」は、それぞれ、表現上に差異があるだけで、本願発明の「蒸発装置」、「吸収装置」に相当するものといえる。
　してみると、本願発明と引用例１に記載された発明とは、
「二重結合コンデンサを持つ多効用吸収冷凍装置であって、第１、第２および第３発生装置、第１、第２および第３コンデンサ装置、蒸発装置、並びに吸収装置であって、それらが互いに作動するように結合され、前記第１、第２および第３コンデンサ装置が、それぞれ、前記第１、第２および第３発生装置から蒸発した冷却剤を受け取って該蒸発した冷却剤を凝縮するようにされた第１、第２および第３発生装置、第１、第２および第３コンデンサ装置、蒸発装置、並びに吸収装置と、前記第３発生装置にある含有冷却剤吸収溶液を第１冷却剤蒸発温度まで加熱する装置と、前記第３コンデンサ装置および第２発生装置と共に作動するように組合わされて、前記第２発生装置にある含有冷却剤吸収溶液を第２冷却剤蒸発温度に加熱する第１熱交換装置と、前記第２コンデンサ装置および第１発生装置と共に作動するように組合わされて、前記第１発生装置にある含有冷却剤吸収溶液に熱を供給する第２熱交換装置と、前記第３コンデンサ装置で凝縮された冷却剤からの熱を、前記第２熱交換装置により前記第１発生装置内の含有冷却剤溶液に供給された熱と組合わせて、該第１発生装置内の含有冷却剤溶液を第３冷却剤蒸発温度に加熱する熱移動手段であって、前記第３コンデンサ装置からの凝縮された冷却剤を、前記第２コンデンサ装置によって受けとられる前に前記第２発生装置からの蒸発冷却剤と組み合わせる手段を備える熱移動手段とを含む、ことを特徴とする多効用吸収冷凍装置。」
 において一致しているものと認められる。
　しかし、次の点で相違しているものと認められる。
（１）第２発生装置にある含有冷却剤吸収溶液を加熱する第２冷却剤蒸発温度が、本願発明においては、第１熱交換装置によって第１温度より低い第２冷却剤蒸発温度まで加熱した温度であるのに対して、引用例１に記載された発明は、第１熱交換装置による加熱に加えて、補助加熱源１３によって発生した熱媒を熱交換器３５に送り、その熱媒の凝縮潜熱による加熱をも利用して加熱した温度であって、冷却剤蒸発温度について第１温度との高低が示されていない点。
（２）第１発生装置内の含有冷却剤溶液を加熱する第３冷却剤蒸発温度が、本願発明においては、第２熱交換装置によって第２温度よりも低い第３冷却剤温度まで加熱した温度であるのに対して、引用例１に記載された発明は、第２熱交換装置による加熱に加えて、補助加熱源１３によって発生した熱媒を熱交換器３６に送り、その熱媒の凝縮潜熱による加熱をも利用して加熱した温度であって、冷却剤蒸発温度について第２温度との高低が示されていない点。
で相違しているものと認める。
そこで、この相違点を検討する。
　上記刊行物２に記載されているように、三重効用吸収冷凍機において、高温発生器４によって発生した冷媒蒸気のみにより、中温発生器５の溶液を加熱した後、さらに、低温発生器６にも送り、低温発生器６の溶液をも加熱するようにすることは、公知の技術であるし、この冷媒蒸気の流れから中温発生器５の加熱温度が高温発生器４の加熱温度より低くなること、さらに、低温発生器６の加熱温度が中温発生器５の加熱温度より低くなることは、容易に理解し得るところであるし、各発生器には、その加熱温度に応じた名称が付けられているところでもある。そして、上記引用例１に記載された補助加熱源１３における燃焼による加熱は、多重効用式冷凍装置の起動時の立ち上げ時間の短縮を図るためのもであり、定常運転に達した場合には、「補助ボイラー１２の補助加熱源１３の燃焼を停止させ、本実施例の装置は高いＣＯＰを実現する三重効用式冷凍サイクルとして動作する。」と記載があるように、起動時に短縮動作を必要しない場合には省略し得るものであることは容易に理解し得るところでるから、第２発生装置の含有冷却剤吸収溶液を第１熱交換器によって第２冷却剤蒸発温度まで加熱すること、および第１発生装置の含有冷却剤吸収溶液を第２熱交換器によって第３冷却剤蒸発温度まで加熱することは、上記引用例２に記載された構成を考慮すれば、当業者が容易に設計変更し得る程度のものである。この引用例１においても高温再生器１、中温再生器２、低温再生器３と記載されているように各再生器の名称に応じた温度に加熱されるものであるから、第２冷却剤蒸発温度が第１冷却剤蒸発温度より低いこと、第３冷却剤蒸発温度が第２冷却剤蒸発温度より低いことは明らかである。
　したがって、上記相違点（１）および（２）の本願発明の構成は、格別の構成とは認められない。
　以上のとおりであるから、本願発明は、上記引用例１および２に記載された発明に基づいて当業者が容易に発明をすることができたものであるから、特許法第２９条第２項の規定により特許を受けることができない。
　よって、結論のとおり審決する。